(57)【要約】【課題】二重の扉体を備えた建物において、防犯性と快適性を兼ね備えたものを提供すること。【解決手段】リビング・ダイニング・キッチンＤ等の居室空間部と屋外空間部とを隔てる壁体２９，３０を内外二重に設け、その内外二重の壁体に各々開口部２９ａ，３０ａを設けるとともに、それら各開口部を開閉する内側玄関ドア１１、内側窓１２及び外側玄関ドア１３、外側窓１４を設け、前記内外二重の壁体２９，３０にて区画形成されたリレーションエリアＡに、リレーションエリアＡと屋外空間部との通気をするための開閉可能な天窓２１を設けた。【選択図】図１
2007308950.tif 000002
【特許請求の範囲】
【請求項１】
居室空間部と屋外空間部とを隔てる壁体を内外二重に設け、その内外二重の壁体に各々内側出入口部及び外側出入口部を設けるとともに、それら各出入口部を開閉する内側扉体及び外側扉体を設けた建物であって、
前記内外二重の壁体にて区画形成された中間空間部に、当該中間空間部と前記屋外空間部との通気をするための開閉可能な外側通気窓を設けたことを特徴とする建物。
【請求項２】
前記中間空間部及び前記屋外空間部の温度をそれぞれ検出する中間空間温度検出手段及び屋外温度検出手段と、
前記内側扉体、前記外側扉体及び前記外側通気窓をそれぞれ開状態又は閉状態に駆動する内側扉体開閉駆動手段、外側扉体開閉駆動手段及び外側通気窓開閉駆動手段と、
前記各温度検出手段による各検出温度に基づき、前記各開閉駆動手段を駆動させて、前記内側扉体、前記外側扉体及び前記外側通気窓を開閉制御する開閉制御手段とを備え、
前記開閉制御手段は、前記中間空間部内の熱を屋外空間部に放出させるための第１放熱条件が成立するか否かを判定し、当該第１放熱条件が成立する場合に前記内側扉体を閉鎖するととともに前記外側通気窓を開放することを特徴とする請求項１に記載の建物。
【請求項３】
前記第１放熱条件を、前記屋外温度検出手段による検出温度が第１屋外基準温度以上であり、前記中間空間温度検出手段による検出温度が前記屋外温度検出手段による検出温度よりも所定値以上高い場合とすることを特徴とする請求項２に記載の建物。
【請求項４】
前記開閉制御手段は、前記第１放熱条件が成立する場合に、前記外側通気窓に加えて前記外側扉体を開放することを特徴とする請求項２又は請求項３に記載の建物。
【請求項５】
前記居室空間部の温度を検出する居室温度検出手段を備え、
前記開閉制御手段は、前記中間空間部内の熱を居室空間部に放出させるための第２放熱条件が成立するか否かを判定し、当該第２放熱条件が成立する場合に前記内側扉体を開放するととともに前記外側扉体及び前記外側通気窓を閉鎖することを特徴とする請求項２から請求項４のいずれかに記載の建物。
【請求項６】
前記第２放熱条件を、前記屋外温度検出手段による検出温度が第２屋外基準温度以下であり、前記中間空間温度検出手段による検出温度が前記居室温度検出手段による検出温度よりも所定値以上高い場合とすることを特徴とする請求項２から請求項５のいずれかに記載の建物。
【請求項７】
前記開閉制御手段は、前記居室空間部の温度を検出する居室温度検出手段の検出結果と前記屋外温度検出手段との検出結果に基づき、前記居室空間部の温度が前記屋外空間部の温度に対して所定の高温状態にあると判断した場合に、前記内側扉体を開放するととともに、前記外側通気窓を開放することを特徴とする請求項２から請求項６のいずれかに記載の建物。
【請求項８】
前記内側扉体に設けられた内側電気錠と、前記外側扉体に設けられた外側電気錠と備え、
前記開閉制御装置は、前記内側扉体又は外側扉体の少なくとも一方が閉鎖状態にある場合に、前記閉鎖状態にある扉体を施錠することを特徴とする請求項２から請求項７のいずれかに記載の建物。
【請求項９】
前記内側扉体に内側電気錠を設けるとともに、前記外側扉体に外側電気錠を設け、
前記両電気錠は連動して前記内側扉体及び前記外側扉体を施錠状態とすることを特徴とすることを特徴とする請求項１に記載の建物。
【請求項１０】
前記内外二重の壁体間の距離を１ｍ以上としたことを特徴とする請求項１から９のいずれかに記載の建物。
【請求項１１】
前記居室空間部と前記中間空間部とを区画する壁体に、開閉可能な内側通気窓を設けたことを特徴とする請求項１から１０のいずれかに記載の建物。
【請求項１２】
前記外側扉体の少なくとも一部に透過視性材からなる透過視性部を備え、当該外側扉体の透過視性部を通して前記屋外空間部から前記内側扉体を認識可能としたことを特徴とする請求項１から請求項１１のいずれかに記載の建物。
【請求項１３】
前記中間空間部に当該中間空間部内を撮影可能な撮影装置を設けたことを特徴とする請求項１から請求項１２のいずれかに記載の建物。
【発明の詳細な説明】
【技術分野】
【０００１】
本発明は、二重の扉体を備えた建物に関するものである。
【背景技術】
【０００２】
近年の住宅においては、防犯性を高めるための様々な対策が採用されている。防犯性向上のための対策としては、例えば、住宅の玄関部に二重扉を設けた構成が提案されている（例えば特許文献１参照）。また、玄関部以外においても、居室空間と屋外空間とを隔てる壁体を内外二重に設け、この内外二重の壁体のそれぞれに人の出入が可能な出入口を設けるとともに、その出入口に扉体を設けることも考えられる。
【０００３】
確かに、扉体を二重に設けると、防犯性が高められる。しかし、内外二重の壁体を設けたことにより屋外空間と居室空間との間には、それらの中間に位置する中間空間部が形成されることとなるため、この中間空間部に熱が籠りやすくなる。そして、中間空間部に籠った熱が居室空間に影響を与え、住宅の快適性が損なわれることもある。
【０００４】
例えば、外出時において、内外二重の扉体を閉ざしている場合には、中間空間部に熱が籠り、その熱により居室空間の温度が高くなることがある。夏期においてこのような状態となると、ユーザが外出から帰宅し、冷房により居室温度を適温にするまでに長時間を要することとなり、住宅の快適性が損なわれる原因となる。
【特許文献１】特公平６−２７４４１号公報
【発明の開示】
【発明が解決しようとする課題】
【０００５】
本発明は、上記問題に鑑みなされたものであり、二重の扉体を備えた建物において、防犯性と快適性を兼ね備えたものを提供することを主たる目的とするものである。
【課題を解決するための手段】
【０００６】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００７】
手段１．本発明の建物（住宅１０）は、居室空間部（リビング・ダイニング・キッチンＤ等）と屋外空間部とを隔てる壁体（壁体２９，３０）を内外二重に設け、その内外二重の壁体に各々内側出入口部（開口部２９ａ）及び外側出入口部（開口部３０ａ）を設けるとともに、それら各出入口部を開閉する内側扉体（内側玄関ドア１１、内側窓１２）及び外側扉体（外側玄関ドア１３、外側窓１４）を設けた建物である。そして、前記内外二重の壁体にて区画形成された中間空間部（リレーションエリアＡ）に、当該中間空間部と前記屋外空間部との通気をするための開閉可能な外側通気窓（第２小窓２０、天窓２１）を設けたことを特徴としている。
【０００８】
これによると、この建物には内側及び外側の二重の扉体に形成されている。また、中間空間部には、外側通気窓が設けられている。このため、高い防犯性を確保しつつ、中間空間部の通気を行い、中間空間部内の熱をこの空間から放出することが可能となる。そして、これにより、居室空間部の快適性も確保することができる。すなわち、例えば夏期においては、日射等により中間空間部が熱せられてこの空間部の温度が高くなる場合がある。この場合でも、中間空間部の通気行うことにより、この空間部に熱が籠ることを抑制することができる。そして、中間空間部の温度上昇の影響が居室空間部にまで及ぶことを抑制できる。これにより、住人等が外出から戻った場合に、居室空間部の温度が上昇していることが抑止され、居室空間部の快適性を確保することが可能となる。
【０００９】
手段２．前記中間空間部及び前記屋外空間部の温度をそれぞれ検出する中間空間温度検出手段（中間空間温度センサ１７）及び屋外温度検出手段（屋外温度センサ１８）と、前記内側扉体、前記外側扉体及び前記外側通気窓をそれぞれ開状態又は閉状態に駆動する内側扉体開閉駆動手段（開閉駆動部２２）、外側扉体開閉駆動手段（開閉駆動部２３）及び外側通気窓開閉駆動手段（開閉駆動部２５，２６）と、前記各温度検出手段による各検出温度に基づき、前記各開閉駆動手段を駆動させて、前記内側扉体、前記外側扉体及び前記外側通気窓を開閉制御する開閉制御手段（コントローラ２７）とを備え、前記開閉制御手段は、前記中間空間部内の熱を屋外空間部に放出させるための第１放熱条件が成立するか否かを判定し、当該第１放熱条件が成立する場合に前記内側扉体を閉鎖するととともに前記外側通気窓を開放することが望ましい。この状態とすることにより、中間空間部の熱が居室空間部に侵入することを抑止しつつ、中間空間部の熱を屋外空間部に放出することが可能となる。
【００１０】
手段３．前記第１放熱条件を、前記屋外温度検出手段による検出温度が第１屋外基準温度以上であり、前記中間空間温度検出手段による検出温度が前記屋外温度検出手段による検出温度よりも所定値以上高い場合とすることが可能である。
【００１１】
このような状態としては、例えば夏期等、屋外温度が比較的高い場合が考えられる。日差し等により中間空間部が熱せられ、中間空間部の温度が屋外空間部の温度よりも高くなる場合がある。このような場合には、中間空間部に隣接する居室空間部の温度にも影響を与え、居室空間部の温度が高くなる。夏期に居室空間部の温度が高くなると、冷房効率を低下させ、建物の快適性が低減することとなる。この点、内側扉体、外側扉体及び外側通気窓の状態を上述の状態とすることで、中間空間部と屋外空間部との間での通気が可能となる。この結果、中間空間部に熱が籠ることにより、中間空間部の温度が屋外空間部の温度よりも高くなることを抑制でき、居室空間部の温度が高くなることを抑制することが可能となる。
【００１２】
手段４．前記開閉制御手段は、前記第１放熱条件が成立する場合に、前記外側通気窓に加えて前記外側扉体を開放してもよい。これにより、より効果的に中間空間部の熱の放出が可能となる。
【００１３】
手段５．前記居室空間部の温度を検出する居室温度検出手段（居室温度センサ１６）を備え、前記開閉制御手段は、前記中間空間部内の熱を居室空間部に放出させるための第２放熱条件が成立するか否かを判定し、当該第２放熱条件が成立する場合に前記内側扉体を開放するととともに前記外側扉体及び前記外側通気窓を閉鎖することか望ましい。この状態とすることにより、中間空間部の熱が屋外空間部に放出されるのを抑止しつつ、中間空間部の熱を居室空間部に取り込むことが可能となる。
【００１４】
手段６．前記第２放熱条件を、前記屋外温度検出手段による検出温度が第２屋外基準温度以下であり、前記中間空間温度検出手段による検出温度が前記居室温度検出手段による検出温度よりも所定値以上高い場合とするとすることが可能である。
【００１５】
このような状態としては、例えば冬期等、屋外温度が比較的低い場合が考えられる。日差し等により中間空間部が暖められ、中間空間部の温度が居室空間部の温度よりも高くなる場合がある。このような場合には、内側扉体を開放することにより、中間空間部から居室空間部に暖かい空気を取り込んで、居室空間部の温度を高めることが可能となる。
【００１６】
手段７．前記開閉制御手段は、前記居室空間部の温度を検出する居室温度検出手段の検出結果と前記屋外温度検出手段との検出結果に基づき、前記居室空間部の温度が前記屋外空間部の温度に対して所定の高温状態にあると判断した場合に、前記内側扉体を開放するととともに、前記外側通気窓を開放することが可能である。内側扉体、外側扉体及び外側通気窓の状態をこのように制御することにより、居室空間部と屋外空間部との間での通気を可能とし、居室空間部に熱が籠ることを抑制することが可能となる。これにより、例えば、夏期において通風性を良くすることにより快適性が向上できることは勿論、冬期においても暖房で暖かくなりすぎた室温を下げることができる。
【００１７】
手段８．前記内側扉体に設けられた内側電気錠（電子錠１１ａ、窓錠１２ａ）と、前記外側扉体に設けられた外側電気錠（電子錠１３ａ、窓錠１４ａ）と備え、前記開閉制御装置は、前記内側扉体又は外側扉体の少なくとも一方が閉鎖状態にある場合に、前記閉鎖状態にある扉体を施錠することが望ましい。これにより、内側出入口、外側出入口及び外側通気窓の開閉制御を行っている場合においても、一定の防犯性が確保できる。
【００１８】
手段９．前記内側扉体に内側電気錠（電子錠１１ａ）を設けるとともに、前記外側扉体に外側電気錠（電子錠１３ａ）を設け、前記両電気錠は連動して前記内側扉体及び前記外側扉体を施錠状態とすることが望ましい。これにより、一方の扉体の施錠忘れを防止することができ、高い防犯性を発揮させることが可能となる。
【００１９】
手段１０．前記内外二重の壁体間の距離を１ｍ以上とすることが望ましい。これにより夏期において居室空間部への日差しの侵入を抑制することができ、夏期における居室空間部の温度上昇を抑制することができる。
【００２０】
手段１１．前記居室空間部と前記中間空間部とを区画する壁体に、開閉可能な内側通気窓（第１小窓１９）を設けることが望ましい。外側及び内側の通気窓は開閉可能となっているので、両通気窓を開状態とすることにより、居室空間部の換気を行うことができる。これにより、外出時や夜間就寝時等内側及び外側出入口を閉鎖・施錠した状態においても居室空間部の換気を行うことができ、高い防犯性を維持しつつ居室空間部を快適なものとすることが可能となる。
【００２１】
手段１２．前記外側出入口の少なくとも一部に透過視性材からなる透過視性部を備え、当該外側出入口の透過視性部を通して前記屋外空間部から前記内側出入口を認識可能とすることが望ましい。これにより、屋外空間部から外側出入口を通して内側出入口を認識することができる。この結果、二重の出入口を備えた防犯性の高い建物であることを外部に示すことが可能となり、不法侵入に対する抑止力が高まる。
【００２２】
手段１３．前記中間空間部に当該中間空間部内を撮影可能な撮影装置（防犯カメラ１５）を設けることが望ましい。これにより、建物の防犯性を高めることができる。
【発明を実施するための最良の形態】
【００２３】
以下、本発明を具体化した一実施の形態を図面に基づいて説明する。図１は本実施形態における住宅の間取図である。図１に示すように、住宅１０は、リレーションエリアＡ、エントランスＢ、ホールＣ、リビング・ダイニング・キッチンＤ、洗面室Ｅ、浴室Ｆ、トイレＧ等の空間を有している。住宅１０内のリレーションエリアＡを除く空間で居室側空間が構成されている。そして、リレーションエリアＡは、屋外側空間と居室側空間との中間に位置し、両空間を結びつける中間空間部として機能している。
【００２４】
居室側空間とリレーションエリアＡとを区画する壁体２９には、開口部２９ａが設けられ、この開口部２９ａに扉体としての内側玄関ドア１１及び内側窓１２が設けられている。詳しくはリレーションエリアＡとエントランスＢとの間には、内側玄関ドア１１が設けられ、リレーションエリアＡとリビング・ダイニング・キッチンＤとの間には、内側窓１２が設けられている。また、屋外側空間とリレーションエリアＡとを区画する壁体３０には開口部３０ａが設けられ、この開口部３０ａに扉体としての外側玄関ドア１３及び外側窓１４が設けられている。内側及び外側の窓１２，１４は折戸タイプの掃き出し窓である。そして、これらは開閉が可能であるとともに、内側に設けられた窓錠１２ａ，１４ａにより施解錠が可能となっている。また、両窓１２，１４は透明なガラスを備え、リビング・ダイニング・キッチンＤに屋外側空間からの採光を可能としている。なお、リビング・ダイニング・キッチンＤの外側における壁体２９，３０間の間隔ｄ１は１ｍ程度に設定されている。そして、夏期におけるリビング・ダイニング・キッチンＤへの日差しの侵入が抑制されるようになっている。
【００２５】
内側及び外側の玄関ドア１１，１３は、屋外側空間と居室側空間との間を出入する際に通常用いられるものである。これら内側及び外側の玄関ドア１１，１３には電子錠１１ａ，１３ａがそれぞれ設けられており、電子キー２８により施解錠が可能となっている。電子キー２８には、二つの解錠ボタンと一つの施錠ボタン（図示せず）とが設けられている。二つの解錠ボタンは、内側及び外側の玄関ドア１１，１３の電子錠１１ａ，１３ａをそれぞれ解錠するためのものである。また、一つの施錠ボタンは、内側及び外側の玄関ドア１１，１３の電子錠１１ａ，１３ａ双方を連動させて施錠するためのものである。すなわち、内側及び外側の玄関ドア１１，１３を解錠する際にはそれぞれの解錠ボタンによる操作が必要であるが、施錠する際には一つの施錠ボタンによる操作で両玄関ドア１１，１３を施錠することが可能となっている。
【００２６】
リレーションエリアＡのコーナー部には、リレーションエリアＡ全体を撮影することができる防犯カメラ１５が設置されている。また、本住宅１０には、リビング・ダイニング・キッチンＤの温度（以下「居室温度」と記す）、リレーションエリアＡの温度（以下「中間空間温度」と記す）及び屋外側空間の温度（以下「屋外温度」と記す）を検出する居室温度センサ１６、中間空間温度センサ１７及び屋外温度センサ１８が設けられている。
【００２７】
図２は、図１におけるＸ−Ｘ断面を概略的に示す図である。なお、図２には、リレーションエリアＡ介しての建物換気に関する電気的な構成も併せて示している。
【００２８】
図２に示すように、内側の壁体２９における内側窓１２の上方には内側小窓１９が設けられており、この内側小窓１９を介してリレーションエリアＡとリビング・ダイニング・キッチンＤとの間の通気が可能とされている。また、外側の壁体３０における外側窓１４の上方には外側小窓２０が設けられており、この外側小窓２０を介して屋外側空間とリレーションエリアＡとの間の通気が可能とされている。内側及び外側の小窓１９，２０は、内倒しタイプのものであり、開閉が可能となっている。そして、その最大開口幅ｄ２は１５０ｍｍ程度に設定されており、これらの窓１９，２０を開放しても人が通り抜けできない開口サイズとされている。
【００２９】
また、リレーションエリアＡの屋根部３１には、天窓２１が設けられている。天窓２１はその一端側が上方に持ち上げられて開口可能となっている。そして、内側及び外側の小窓１９，２０と同様、最大開口幅ｈが１５０ｍｍ程度に設定されており、この窓２１を開放しても人が通り抜けできない開口サイズとされている。
【００３０】
内側及び外側の窓１２，１４、内側及び外側の小窓１９，２０及び天窓２１には、それぞれ開閉駆動部２２〜２６が設けられている。また、住宅１０の所定の場所には、コントローラ２７が設けられており、このコントローラ２７は、各温度センサ１６〜１８及び各開閉駆動部２２〜２６と電気的に接続されている。コントローラ２７には、各温度センサ１６〜１８から検出信号が入力される。そして、コントローラ２７は、入力された検出信号に基づいて、各開閉駆動部２２〜２６に開閉駆動信号を出力する。すなわち、各窓１２，１４，１９，２０，２１は、各温度センサ１６〜１８による検出信号に基づいてコントローラ２７から出力される開閉駆動信号により、開閉制御されるように構成されている。なお、内側窓１２及び外側窓１４については、開閉駆動部２２，２３により窓の開閉とともに窓錠１２ａ，１４ａによる窓の施解錠も行われるようになっている。
【００３１】
図３（ａ）〜（ｄ）は、本実施形態における窓の開閉状態を示す図である。コントローラ２７は、各窓１２，１４，１９，２０，２１の開閉を制御して、図３（ａ）〜（ｄ）に示す第１から第４の開閉状態とすることが可能にプログラムされている。なお、以下の説明では、各窓１２，１４，１９，２０，２１の開閉状態を括弧内に順に挙げることにより表現することとする。例えば、内側及び外側の窓１２，１４が開状態で、内側及び外側の小窓１９，２０及び天窓２１が閉状態の場合を（開，開，閉，閉，閉）と表現することとする。
【００３２】
図３（ａ）に示す第１開閉状態では、（開，開，閉，閉，開）とされている。この状態は、居室温度が屋外温度に対して所定の高温状態（例えば居室温度が２８℃以上、かつ、居室温度が屋外温度より高い）場合に設定されるものである。この状態にすることにより、リビング・ダイニング・キッチンＤと屋外側空間との間での通気を可能とし、リビング・ダイニング・キッチンＤ内に熱が籠ることを抑制することが可能となる。この状態にすることで、夏期において通風性を良くすることにより快適性を向上できることは勿論、冬期においても暖房で暖かくなりすぎた室温を適度に下げることができる。
【００３３】
図３（ｂ）に示す第２開閉状態では、（閉，開，閉，閉，開）とされている。この状態は、中間空間部内の熱を屋外空間に放熱させたい場合に設定されるものである。このような場合の具体例としては、夏期において中間空間温度が屋外温度よりも所定温度（例えば５℃）以上高くなった場合が考えられる。日差し等によりリレーションエリアＡが熱せられ、居室温度が屋外温度よりも高くなる場合がある。リビング・ダイニング・キッチンＤはリレーションエリアＡと内側窓１２を介して隣接している。そのため、リレーションエリアＡの温度が高くなると、リビング・ダイニング・キッチンＤの温度も高くなる。夏期に居室内温度が高くなると、冷房効率が低下する。したがって、住宅１０の快適性が低減することとなる。この点、第２開閉状態（閉，開，閉，閉，開）とすることにより、リレーションエリアＡと屋外側空間との間での通気を可能とし、リレーションエリアＡ内に熱が籠ることを抑制できる。その結果、リレーションエリアＡの温度が屋外側空間の温度よりも高くなることを抑制でき、リビング・ダイニング・キッチンＤの温度が高くなることを抑制することが可能となる。
【００３４】
図３（ｃ）に示す第３開閉状態では、（開，閉，閉，閉，閉）とされている。この状態は、中間空間部内の熱を居室空間に放熱させたい場合に設定されるものである。このような場合の具体例としては、冬期において中間空間温度が居室温度よりも所定温度（例えば５℃）以上高くなった場合が考えられる。リレーションエリアＡが日差し等により暖められると、中間空間温度が居室温度よりも高くなる場合がある。冬期にこのような状態になった場合には、内側窓１２を開放することにより、リレーションエリアＡからリビング・ダイニング・キッチンＤに暖かい空気を取り込むことができる。これにより、リビング・ダイニング・キッチンＤの温度を高めることが可能となる。
【００３５】
図３（ｄ）に示す第４開閉状態では、（閉，閉，閉，閉，閉）とされている。この状態は、上記の条件に該当しない場合に設定されるものである。この状態にすることで、防犯性の高い状態とするとともに、居室側空間の気密性を高めることが可能となる。
【００３６】
次に、コントローラ２７による各窓１２，１４，１９，２０，２１の開閉制御について、図４に基づいて説明する。図４は、本実施形態における窓の開閉制御のフローチャートである。本処理は、住人の在宅時においてコントローラ２７の主電源がオンの場合に、コントローラ２７により所定の時間周期で実行される。
【００３７】
図４において、ステップＳ１０１では、各温度センサ１６〜１８で検出した検出信号、すなわち、居室温度、中間空間温度及び屋外温度の読み込みを行う。
【００３８】
ステップＳ１０２では、居室温度が２８℃以上であり、かつ、居室温度が屋外温度より高いかか否かを判定する。ステップＳ１０２の判定結果がＹｅｓの場合には、ステップＳ１０３に進む。そして、ステップＳ１０３において、各窓１２，１４，１９，２０，２１の状態が（開，開，閉，閉，開）（第１開閉状態）となるように、各開閉駆動部２２〜２６に開閉駆動信号を出力し、本処理を終了する。一方、ステップＳ１０２の判定結果がＮｏの場合には、ステップＳ１０４に進む。
【００３９】
ステップＳ１０４では、屋外温度が２５℃以上であり、かつ、中間空間温度が屋外温度よりも５℃以上高いか否かを判定する。ステップＳ１０４の判定結果がＹｅｓの場合には、ステップＳ１０５に進む。そして、ステップＳ１０５において、各窓１２，１４，１９，２０，２１の状態が（閉，開，閉，閉，開）（第２開閉状態）となるように、各開閉駆動部２２〜２６に開閉駆動信号を出力し、本処理を終了する。一方、ステップＳ１０４の判定結果がＮｏの場合には、ステップＳ１０６に進む。
【００４０】
ステップＳ１０６では、屋外温度が１０℃以下であり、かつ、中間空間温度が居室温度よりも５℃以上高いか否かを判定する。ステップＳ１０６の判定結果がＹｅｓの場合には、ステップＳ１０７に進む。そして、ステップＳ１０７において、各窓１２，１４，１９，２０，２１の状態が（開，閉，閉，閉，閉）（第３開閉状態）となるように、各開閉駆動部２２〜２６に開閉駆動信号を出力し、本処理を終了する。一方、ステップＳ１０６の判定結果がＮｏの場合には、ステップＳ１０８に進む。ステップＳ１０８では、各窓１２，１４，１９，２０，２１の状態が（閉，閉，閉，閉，閉）（第４開閉状態）となるように、各開閉駆動部２２〜２６に開閉駆動信号を出力し、本処理を終了する。
【００４１】
なお、コントローラ２７の主電源がオフの状態となっている場合には、各窓１２，１４，１９，２０，２１の開閉制御は行われない。ただし、各窓１２，１４，１９，２０，２１を手動で開閉することは可能である。
【００４２】
以上詳述した本実施の形態によれば、以下の優れた効果が得られる。
【００４３】
本実施形態では、屋外側空間と居室側空間との間に、玄関ドア１１，１３及び窓１２，１４が二重に設けられている。そして、屋外側空間から居室側空間に入るためにはこれら二重の扉体を通過する必要がある。これにより、不法侵入者が居室側空間に入るためには二重の解錠作業が必要となる。この結果、侵入までに長時間を要することとなるため、不法侵入者に侵入を諦めさせることが可能となる。また、本実施形態では、外側窓１４は透明なガラスを備えている。これにより、屋外側空間から外側窓１４を通して内側窓１２を認識することができる。この結果、防犯性の高い住宅であることを外部に示すことが可能となり、不法侵入を抑止することが可能となる。
【００４４】
本実施形態では、内側及び外側の窓１２，１４の上方に、内側及び外側の小窓１９，２０が設けられている。そして、内側及び外側の小窓１９，２０は最大開口幅が１５０ｍｍ程度とされており、開放しても人の通り抜けが困難なサイズに設定されている。これにより、内側及び外側の窓１２，１４を閉鎖・施錠した状態で内側及び外側の小窓１９，２０を開放することで、例えば夏期の夜間就寝時において防犯性を確保しつつ快い通風を得ることが可能となる。
【００４５】
本実施形態では、リレーションエリアＡには天窓２１が設けられている。そして、この天窓２１は最大開口幅が１５０ｍｍ程度とされており、開放しても人の通り抜けが困難なサイズに設定されている。これにより、外出時等に、内側及び外側の玄関ドア１１，１３、内側及び外側の窓１２，１４を閉鎖・施錠し、天窓２１を開放した状態とすることで、防犯性を確保しつつリレーションエリアＡの通気を行うことが可能となる。
【００４６】
そして、この状態とすることにより、居室側空間の快適性も確保することができる。すなわち、例えば夏期においては、日射によりリレーションエリアＡが熱せられてこのエリアの温度が高くなる場合がある。この場合でも、リレーションエリアＡの通気を行うことにより、このエリアに熱が籠ることを抑制することができる。そして、リレーションエリアＡの温度上昇の影響が居室側にまで及ぶことを抑制できる。これにより、住人が外出から帰宅した場合に、居室側空間の温度が上昇していることが抑止され、住宅１０の快適性を確保することが可能となる。
【００４７】
本実施形態では、内側及び外側の玄関ドア１１，１３の施錠を連動させ、一回のボタン操作により両玄関ドア１１，１３が施錠される。これにより、一方のドアの施錠忘れを防止することができ、高い防犯性を発揮させることが可能となる。
【００４８】
本実施形態では、リレーションエリアＡのコーナー部には、リレーションエリアＡ全体を撮影することができる防犯カメラ１５が設置されている。これにより、不法侵入の抑止力を高めるとともに、不法侵入があった場合には、これを撮影することができる。
【００４９】
上記実施形態では、リビング・ダイニング・キッチンＤの外側における内側窓１２と外側窓１４との間隔ｄ１は、１ｍ程度に設定されている。これにより、夏期におけるリビング・ダイニング・キッチンＤへの日差しの侵入を抑制することができ、夏期における居室側空間の温度上昇を抑制することができる。
【００５０】
本実施形態では、各温度センサ１６〜１８による検出信号に基づいて、各窓１２，１４，１９，２０，２１の開閉が制御されている。これにより、在宅時には自動的に居室側空間を快適な状態とすることが可能となる。また、内側窓１２及び外側窓１４を開閉駆動する開閉駆動部２２，２３は、窓１２，１４の開閉とともに窓１２，１４の施解錠も行っている。これにより、コントローラ２７による各窓１２，１４，１９，２０，２１の開閉制御時においても、一定の防犯性を確保することが可能となる。
【００５１】
なお、本発明は上記実施の形態の記載内容に限定されず、例えば次のように実施しても良い。
【００５２】
上記実施形態では、各窓１２，１４，１９，２０，２１の開閉状態を制御するための条件温度を挙げたが、これらの温度は一例であり、本発明の要旨の範囲で変更することが可能である。
【００５３】
上記実施形態では、各窓１２，１４，１９，２０，２１の開閉状態を第２開閉状態とする条件の一つとして屋外温度が２５℃以上という条件を用いた。また、第３開閉状態とする条件の一つとして屋外温度が１０℃以下という条件を用いた。しかし、これらの屋外温度の条件に代えて、季節を判定するようにしてもよい。すなわち、コントローラ２７にカレンダーを記憶させ、屋外温度が２５℃以上の条件に代えて夏期（例えば６月から９月）という条件を判定するようにしてもよい。また、屋外温度が１０℃以下の条件に代えて冬期（例えば１１月から２月）という条件を判定するようにしてもよい。
【００５４】
上記実施形態では、居室温度が２８℃以上の場合に、各窓１２，１４，１９，２０，２１の開閉状態を（開，開，閉，閉，開）（第１開閉状態）とした。しかし、この場合に、各窓１２，１４，１９，２０，２１の開閉状態を（開，閉，閉，閉，開）又は（開，開，閉，閉，閉）としてもよい。これらの開閉状態によっても、リビング・ダイニング・キッチンＤと屋外側空間との間での通気が可能となり、リビング・ダイニング・キッチンＤ内に熱が籠ることを抑制することが可能となる。
【００５５】
上記実施形態では、屋外温度が２５℃以上の場合において、中間空間温度が屋外側空間の温度よりも５℃以上高くなった場合に、各窓１２，１４，１９，２０，２１の開閉状態を（閉，開，閉，閉，開）（第２開閉状態）とした。しかし、この場合に、各窓１２，１４，１９，２０，２１の開閉状態を（閉，閉，閉，閉，開）としてもよい。この開閉状態によっても、外側窓１４も開放する場合に比べると通気の程度は小さくなるものの、リレーションエリアＡの温度の高い空気を上方の天窓２１から逃がすことができる。これにより、リレーションエリアＡ内に熱が籠ることを抑制して、リレーションエリアＡの温度が屋外側空間の温度よりも高くなることを抑制することが可能となる。
【００５６】
上記実施形態において、内側窓１２及び内側小窓１９を開閉駆動する各開閉駆動部に、コントローラ２７から同じ駆動信号を出力するようにして、これらの開閉を連動させるようにしてもよい。また、同様に、外側窓１４と外側小窓２０とを連動させるようにしてもよい。これにより、隣接する空間同士の仕切る壁体の開口を大きくすることができ、換気効率を高めることが可能となる。
【００５７】
天窓２１の開閉に代えて、外側小窓２０の開閉を行うようにしてもよい。また、外側小窓２０の開閉を天窓２１の開閉と連動させるようにしてもよい。外側小窓２０も天窓２１と同様、リレーションエリアＡと屋外側空間との通気を可能とするものであるため、この構成によっても上記実施形態と同様の作用効果を奏する。
【００５８】
住宅１０に設けられる各窓１２，１４，１９，２０，２１及びドア１１，１３をＣＰアイテムとすることも可能である。これにより、防犯性をより向上することが可能となる。なお、ＣＰ（Crime Prevention）とは、警察庁、国土交通省、経済産業省と建物や防犯機器関連の業界団体などで構成する「防犯性能の高い建物部品の開発・普及に関する官民合同会議」により、一定の防犯性能があると評価された部品に対し認定されるものである。
【００５９】
天窓２１に雨センサを設け、雨が降ると自動的に天窓２１が閉鎖されるようにしてもよい。これにより、天窓２１の開放時に雨が降り出した場合であっても、リレーションエリアＡに雨が入り込むのを抑止することができる。
【図面の簡単な説明】
【００６０】
【図１】本実施形態における住宅の間取図。
【図２】図１におけるＸ−Ｘ断面を概略的に示す図。
【図３】本実施形態における窓の開閉状態を示す図。
【図４】本実施形態における窓の開閉制御のフローチャート。
【符号の説明】
【００６１】
１０…住宅、１１…内側玄関ドア、１２…内側窓、１３…外側玄関ドア、１１ａ，１３ａ…電子錠、１４…外側窓、１１ａ，１３ａ…電子錠、１２ａ，１３ａ…窓錠、１５…防犯カメラ、１６…居室温度センサ、１７…中間空間温度センサ、１８…屋外温度センサ、１９…内側小窓、２０…外側小窓、２１…天窓、２２〜２６…開閉駆動部、２７…コントローラ、２８…電子キー、２９，３０…壁体、３１…屋根部。
【図１】
2007308950.tif 000003
【図２】
2007308950.tif 000004
【図３】
2007308950.tif 000005
【図４】
2007308950.tif 000006